(57)【要約】【課題】低コストで効果的に宣伝広告や装飾の機能を発揮させることができる椅子カバーを提供する。【解決手段】下端が開口した袋状をなし、椅子５の背もたれ６の前面を覆う前面側部分２および背もたれ６の後面を覆う後面側部分３を有し、背もたれ６に上方から被せられる椅子カバー本体１と、椅子カバー本体１の後面側部分３の下端に着脱自在に取り付けられて、椅子カバー本体１に吊下げ状態で支持されたタペストリー４と、を有する。【選択図】図１
0003160796.tif 000002
【実用新案登録請求の範囲】
【請求項１】
下端が開口した袋状をなし、椅子の背もたれの前面を覆う前面側部分および前記背もたれの後面を覆う後面側部分を有し、前記背もたれに上方から被せられる椅子カバー本体と、
前記椅子カバー本体の前記後面側部分の下端に着脱自在に取り付けられて、前記椅子カバー本体に吊下げ状態で支持されたタペストリーと、を有することを特徴とするタペストリーを備えた椅子カバー。
【請求項２】
前記タペストリーは、前記椅子カバー本体の前記後面側部分の幅よりも狭い幅の縦長形状を有しており、前記椅子カバー本体の前記後面側部分の下端に、幅方向に間隔をあけて複数個の雄型または雌型のスナップボタンが取り付けられ、前記タペストリーの上端に、それぞれ前記椅子カバー本体の前記スナップボタンと対をなす複数個の雌型または雄型のスナップボタンが幅方向に間隔をあけて取り付けられていることを特徴とする請求項１に記載のタペストリーを備えた椅子カバー。
【請求項３】
前記タペストリーの上端縁は幅方向に沿って折り返し縫合されて筒状部分を形成し、前記タペストリーが前記椅子カバー本体から取り外された状態で、前記筒状部分に前記タペストリーを吊下げ状態で支持するための棒体が挿通され得るようになっていることを特徴とする請求項１または請求項２に記載のタペストリーを備えた椅子カバー。
【請求項４】
前記椅子カバー本体の前記前面側部分は、前記背もたれに被せられた状態で、下端が前記背もたれの前面の下端に達する位置までのびている一方、前記椅子カバー本体の前記後面側部分は、下端が前記背もたれの後面の上部にまでしか達していないことを特徴とする請求項１〜請求項３のいずれかに記載のタペストリーを備えた椅子カバー。
【考案の詳細な説明】
【技術分野】
【０００１】
本考案は、パチンコ店等の遊技施設内に設置された椅子の背もたれに取り付けて使用する椅子カバーに関するものである。
【背景技術】
【０００２】
パチンコ店等の遊戯施設内には、パチンコ台等の遊技機の前に、遊戯中の客が腰掛けるための椅子が設けられており、従来、これらの椅子を有効利用して、パチンコ台等の遊技機の紹介等の宣伝広告をすることや、施設内のイメージ作りをすることがしばしばなされている。
【０００３】
そして、従来技術においては、例えば、椅子の背もたれに上方から被せられ、背もたれの前後面を覆う袋状の椅子カバーの後面に、宣伝広告または装飾用のシートを挿入する透明なポケットを設けたものや、ポケットの代わりに、広告表示を備えた表記部を椅子カバーの後面に着脱自在に取り付けたものが提案されている（例えば、特許文献１、２参照）。
【０００４】
これらの従来の椅子カバーにおいては、例えば、新型の遊技機の導入のために遊技機が入れ替えられる場合や、施設内のイメージチェンジがなされる場合、それに対応して、椅子カバーのポケットに挿入するシートが交換され、また椅子カバーに取り付ける表記部が交換される。
しかしながら、この場合、使用済のシートや表記部は、再使用されることなく廃棄処分され、それによって、資源が無駄遣いされ、コストアップを招くという問題があった。
【０００５】
さらに、これらの従来の椅子カバーは、外形が一般に使用される椅子カバーと殆ど同じであり、奇抜さや斬新さに欠け、宣伝広告や装飾の効果が十分に発揮されているとは言い難い。
【先行技術文献】
【特許文献】
【０００６】
【特許文献１】実用新案登録第３０６９６３３号公報
【特許文献２】実用新案登録第３１０４２９０号公報
【考案の概要】
【考案が解決しようとする課題】
【０００７】
したがって、本考案の課題は、低コストで効果的に宣伝広告や装飾の機能を発揮させることができる椅子カバーを提供することにある。
【課題を解決するための手段】
【０００８】
上記課題を解決するため、本考案は、下端が開口した袋状をなし、椅子の背もたれの前面を覆う前面側部分および前記背もたれの後面を覆う後面側部分を有し、前記背もたれに上方から被せられる椅子カバー本体と、前記椅子カバー本体の前記後面側部分の下端に着脱自在に取り付けられて、前記椅子カバー本体に吊下げ状態で支持されたタペストリーと、を有することを特徴とするタペストリーを備えた椅子カバーを構成したものである。
【０００９】
上記構成において、前記タペストリーは、前記椅子カバー本体の前記後面側部分の幅よりも狭い幅の縦長形状を有しており、前記椅子カバー本体の前記後面側部分の下端に、幅方向に間隔をあけて複数個の雄型または雌型のスナップボタンが取り付けられ、前記タペストリーの上端に、それぞれ前記椅子カバー本体の前記スナップボタンと対をなす複数個の雌型または雄型のスナップボタンが幅方向に間隔をあけて取り付けられていることが好ましい。
【００１０】
また、前記タペストリーの上端縁は幅方向に沿って折り返し縫合されて筒状部分を形成し、前記タペストリーが前記椅子カバー本体から取り外された状態で、前記筒状部分に前記タペストリーを吊下げ状態で支持するための棒体が挿通され得るようになっていることが好ましい。
【００１１】
また、前記椅子カバー本体の前記前面側部分は、前記背もたれに被せられた状態で、下端が前記背もたれの前面の下端に達する位置までのびている一方、前記椅子カバー本体の前記後面側部分は、下端が前記背もたれの後面の上部にまでしか達していないことが好ましい。
【考案の効果】
【００１２】
本考案によれば、椅子の背もたれに被せた椅子カバー本体の後面側部分の下端に、タペストリーを着脱自在に取り付けて、椅子カバー本体に吊下げ状態に支持するようにしたので、椅子カバーが、全体として、従来の椅子カバーとは全く異なる斬新奇抜な外形を有するようになり、タペストリーに表された絵柄等と相まって、遊戯施設内に高級感を醸し出すことができる。また、このような外形にすることで、施設利用客の注目度も上がり、タペストリーに宣伝広告表示を加えれば、宣伝広告効果も十分に得られる。
【００１３】
さらに、タペストリーを交換する必要が生じた場合には、椅子カバー本体から取り外したタペストリーを単体で施設内の適当なスペースに取り付けることによって再使用することができる。そして、使用済のタペストリーを有効利用することで、資源の無駄遣いを防止し、宣伝広告および店内装飾のコスト増を抑制することができる。
【図面の簡単な説明】
【００１４】
【図１】本考案によるタペストリーを備えた椅子カバーを椅子に取り付けた状態を示す立体図である。
【図２】椅子カバー本体を後面側から見た平面図である。
【図３】椅子カバーを後面側から見た平面図である。
【図４】タペストリーの上端縁の筒状部分に吊下げ支持用の棒体を挿通した状態を示す平面図である。
【図５】椅子カバー本体から取り外したタペストリーを、パチンコ店内で再使用している状態を示す立体図である。
【考案を実施するための形態】
【００１５】
以下、添付図面を参照して本考案の好ましい実施例について説明する。図１は、本考案の１実施例によるタペストリーを備えた椅子カバーを椅子に取り付けた状態を示す立体図である。また、図２は、図１の椅子カバーの椅子カバー本体を後面側から見た平面図であり、図３は、図１の椅子カバーを後面側から見た平面図である。
【００１６】
図１〜図３を参照して、本考案によるタペストリーを備えた椅子カバーは、下端が開口した袋状をなし、椅子５の背もたれ６の前面を覆う前面側部分２および背もたれ６の後面を覆う後面側部分３を有し、椅子５の背もたれ６に上方から被せられる椅子カバー本体１と、椅子カバー本体１の後面側部分３の下端３ａに着脱自在に取り付けられ、椅子カバー本体１から吊下げ状態で支持されたタペストリー４とを有している。
【００１７】
椅子カバー本体１は、この実施例では、ビニール製であるが、椅子カバー本体１の形成材料は特に限定されず、例えば、任意の合成樹脂製の椅子カバー本体１としてもよいし、布製の椅子カバー本体１としてもよい。また、座り心地を良くするために、椅子カバー本体１の少なくとも前面側部分２の裏面にクッション材を備えるようにしてもよいし、あるいは、通気性を向上させるために、椅子カバー本体１の全体をメッシュ状に形成してもよい。
【００１８】
この実施例では、また、椅子カバー本体１の前面側部分２は、背もたれ６に被せられた状態で、下端２ａが背もたれ６の前面の下端に達する位置までのびている一方、後面側部分３は、下端３ａが背もたれ６の後面の上部にまでしか達していない。こうして、椅子カバー本体１の前面側部分２が背もたれ６の前面の全体を被覆することで、椅子５の背もたれ６の汚れを防止するとともに、椅子カバー本体１の後面側部分３が背もたれ６の後面の上部のみで終わっていることで、椅子５の背もたれ６の後面側にタペストリー４を配置するための大きなエリアを確保することができる。
【００１９】
椅子カバー本体１の前面側部分２の裏面下部には、ゴムバンド７がその両端を固定されて幅方向に水平にのびている。そして、椅子カバー本体１が背もたれ６に被せられるときに、椅子カバー本体１の前面側部分２およびゴムバンド７間に背もたれ６が挿入されることで、椅子カバー本体１が背もたれ６に確実に保持されるようになっている。
また、椅子カバー本体１の後面側部分３の表面には、ＰＯＰシートを挿入するための透明なポケット８が設けられている。
【００２０】
さらに、椅子カバー本体１の後面側部分３の下端裏面には、幅方向に間隔をあけて複数個の雄型または雌型（この実施例では雌型）のスナップボタン９が取り付けられている。
【００２１】
なお、椅子カバー本体１の形状は、この実施例のものに特に限定されず、例えば、背もたれ６に被せられた状態で、椅子カバー本体１の前面側部分２および後面側部分３のそれぞれの下端２ａ、３ａが、背もたれ６の中央近傍の同じ高さレベルに位置するような形状にしてもよい。
【００２２】
タペストリー４は、布製であり、椅子カバー本体１の後面側部分３の幅よりも狭い幅の縦長形状を有している。タペストリー４は、また、背もたれ６に被せられた椅子カバー本体１に取り付けられたとき、その下端が床面に達しない範囲内の任意の長さを有している。
タペストリー４には、遊技施設内のイメージ作りのための適当な絵柄が表され、また必要に応じて、遊技機の紹介等の宣伝広告表示がなされる。
【００２３】
また、図示はしないが、タペストリー４の上端縁は幅方向に沿って折り返し縫合されて筒状部分を形成し、タペストリー４が椅子カバー本体１から取り外された状態で、図４に示すように、この筒状部分に、タペストリー４を吊下げ状態で支持するための棒体１１が挿通され得るようになっている。
【００２４】
タペストリー４の上端に、それぞれ椅子カバー本体１のスナップボタン９と対をなす複数個の雌型または雄型（この実施例では雄型）のスナップボタン１０が幅方向に間隔をあけて取り付けられている。こうして、タペストリー４のスナップボタン１０を、椅子カバー本体１の対応するスナップボタン９に係合させることによって、極めて簡単に、タペストリー４を椅子カバー本体１に取り付け、椅子カバー本体１から取り外すことができる。
【００２５】
なお、タペストリー４を椅子カバー本体１に着脱自在に取り付けるための手段は、この実施例に限定されず、よって、雄型および雌型のスナップボタンの代わりに、例えば、マジックテープ（登録商標）や、ファスナーを用いることもできる。
【００２６】
本考案による椅子カバーは、まず、タペストリー４が取り外された状態で、椅子カバー本体１が、前面側部分２が背もたれ６の前面を覆うようにして、椅子５の背もたれ６に上方から被せられる。このとき、椅子カバー本体１の前面側部分２と、前面側部分裏面のゴムバンド７との間に背もたれ６の下部が挿入され、それによって、椅子カバー本体１が背もたれ６に確実に保持される。
【００２７】
次に、タペストリー４の上端部が、椅子カバー本体１の後面側部分３の下端部の裏側に挿入されるとともに、タペストリー上端の雄型のスナップボタン１０が、順次、椅子カバー本体１の後面側部分下端の対応する雌型のスナップボタン９に係合せしめられ、タペストリー４が椅子カバー本体１から吊下げられる。それによって、椅子カバーの椅子５の背もたれ６への取り付けが完了する。
【００２８】
こうして、本考案によれば、椅子５の背もたれ６に被せた椅子カバー本体１の後面側部分３の下端３ａに、タペストリー４を着脱自在に取り付けて、椅子カバー本体１に吊下げ状態に支持するようにしたので、椅子カバーの全体が、従来の椅子カバーとは全く異なる斬新奇抜な外形を有するようになり、タペストリー４に表された絵柄等と相まって、遊戯施設内に高級感を醸し出すことができる。また、このような外形にすることで、施設利用客の注目度も上がり、タペストリーに宣伝広告表示を加えれば、宣伝広告効果も十分に発揮される。
【００２９】
また、タペストリー４を交換する必要が生じた場合には、椅子カバー本体１から取り外したタペストリー４を単体で施設内の適当なスペースに取り付けることによって再使用することができる。例えば、本考案の椅子カバーを、パチンコ店内において使用した場合、図５に示すように、椅子カバー本体１から取り外したタペストリー４の筒状部分に、各パチンコ台の上面に固定された支持アーム１２を挿通し、タペストリー４を支持アーム１２に吊下げることにより、宣伝広告や店内装飾の手段として再使用できる。
こうして、本考案によれば、使用済のタペストリー４を有効利用することで、資源の無駄遣いを防止し、宣伝広告および店内装飾のコスト増を抑制することができる。
【符号の説明】
【００３０】
１  椅子カバー本体
２  前面側部分
２ａ  下端
３  後面側部分
３ａ  下端
４  タペストリー
５  椅子
６  背もたれ
７  ゴムバンド
８  ポケット
９  スナップボタン
１０  スナップボタン
１１  棒体
１２  支持アーム
【図１】
0003160796.tif 000003
【図２】
0003160796.tif 000004
【図３】
0003160796.tif 000005
【図４】
0003160796.tif 000006
【図５】
0003160796.tif 000007